(57)【特許請求の範囲】
【請求項１】
アークを発生させる一対の放電電極を対峙させた状態で収容する中空状の発光部と、この発光部の両側に設けられた前後一対の前側封止部及び後側封止部とを有する発光管を備え、前記後側封止部をリフレクタに固定してなる光源ユニットにおいて、
前記後側封止部の後端から突出させた第１のリード線は、リフレクタの背面の中央から突出させた口金に接続され、前記前側封止部の前端から突出させた第２のリード線は、前記リフレクタの前記背面に固定された端子取付部に接続され、前記端子取付部は、機械的固定手段をもって前記リフレクタに固定され、この端子取付部にアーク矯正用の磁石が固定され、
前記磁石は、前記端子取付部から延び出るアームに固定されたことを特徴とする光源ユニット。
【発明の詳細な説明】
【０００１】
【発明の属する技術分野】
本発明は、アークの発光により所定波長の光を発生させる放電管と、この放電管からの光を反射させて、所定方向に光を出射させるリフレクタとを有する光源ユニットに関するものである。
【０００２】
【従来の技術】
従来、このような分野の技術として、実開昭６３−５４１３５号公報、実公平４−１７９６５号公報、実公平６−１０３５７号公報、特公平５−７４０５８号公報がある。これら公報には、磁石によるランプのアーク矯正機構が開示されている。このうち特公平５−７４０５８号公報に記載の光源ユニットには、アーク矯正用磁石を、リフレクタの裏面に対しブラケットを介して固定したものが開示され、この磁石から発生する磁力線によって、電極間で発生するアークの上方への曲がりを防止し、アーク放電の安定化を図っている。
【０００３】
【発明が解決しようとする課題】
しかしながら、前述した従来の光源ユニットには、次のような課題が存在していた。すなわち、磁石は、ブラケットを介してリフレクタに取付けられ、このブラケットは、磁石取付け専用台として採用されている。磁力線がアークに及ぼす影響を考慮すると、磁石は、どのような場所に取り付けられてもよいものではなく、その設置位置は特定されるべきものである。しかし、前述した従来の光源ユニットは、磁石の設置固定にあたって何ら対策が施されておらず、ブラケットをリフレクタに取り付ける際に、ブラケットによる磁石の位置決めが実行しにくいといった問題点があった。なお、ブラケットをリフレクタに対して固定する際の手段については何ら示唆されていない。
【０００４】
本発明は、上述の課題を解決するためになされたもので、特に、アーク矯正用の磁石の確実な位置決め行うようにした光源ユニットを提供することを目的とする。
【０００５】
【課題を解決するための手段】
本発明は、アークを発生させる一対の放電電極を対峙させた状態で収容する中空状の発光部と、この発光部の両側に設けられた前後一対の前側封止部及び後側封止部とを有する発光管を備え、後側封止部をリフレクタに固定してなる光源ユニットにおいて、
後側封止部の後端から突出させた第１のリード線は、リフレクタの背面の中央から突出させた口金に接続され、前側封止部の前端から突出させた第２のリード線は、リフレクタの背面に固定された端子取付部に接続され、端子取付部は、機械的固定手段をもってリフレクタに固定され、この端子取付部にアーク矯正用の磁石が固定され、磁石は、端子取付部から延び出るアームに固定されたことを特徴とする。
【０００６】
この光源ユニットにおいては、第２のリード線の結線用としてリフレクタに設けられた端子取付部を基準とし、アーク矯正用の磁石をリフレクタに固定させているので、リフレクタの裏面側において、端子取付部の位置に対応した磁石の取付け作業を可能にする。そして、端子取付部は、アーク放電による高熱の影響やリフレクタの焦点位置等を考慮した上で、リフレクタに対して機械的に固定されるものであり、また、一般的に、アークの発生部位は、リフレクタの焦点位置にくるように設定されるものであるから、このような端子取付部を基準にしてアーク矯正用の磁石をリフレクタに取付けることは、アーク生成位置に対する磁石の位置決めを確実ならしめるものである。
【０００７】
さらに、光源ユニットにおいて、磁石は、端子取付部から延び出るアームに固定されている。このような構成を採用した結果、リフレクタの形状等に応じて、端子取付部の位置が制限されるような場合でも、端子取付部から所定の方向にアームを延ばし、このアームに磁石を固定することで、端子取付部の位置の変更に対応して磁石設置場所を簡単かつ確実に変更することが可能になる。
【０００８】
【発明の実施の形態】
以下、図面と共に本発明による光源ユニットの好適な実施形態について詳細に説明する。
【０００９】
図１は、本発明に係る光源ユニットを示す斜視図である。同図に示す光源ユニットＵは、内面に反射面をもったリフレクタＲを有し、このリフレクタＲには、発光管の一例としての水銀キセノンランプ１が固定されている。この水銀キセノンランプ１は、図２に示すように、ガラス（例えば石英）やセラミックス（例えば透光性セラミックス）からなるバルブ２を備えている。このバルブ２は、中央に略楕円球体をなす中空状の発光部３を有し、この発光部３の内部には水銀等のガスが封入されている。
【００１０】
更に、バルブ２は、発光部３の両側から延びる一対の封止部４，５を有し、このバルブ２をリフレクタＲに取り付ける際、封止部４が後側となってリフレクタＲに固定され、封止部５が前側となってリフレクタＲ内でフリーな状態に置かれる。また、各封止部４，５内には、モリブデンからなる薄板状の金属箔６，７が封入され、この金属箔６の一端側には、発光部３内に一方向から突出させる放電電極８が電気的に接合され、金属箔６の他端側には、封止部４の後端から露出する第１のリード線９が電気的に接合されている。
【００１１】
同様に、金属箔７の一端側には放電電極１０が電気的に接合され、この他端側には封止部５の前端から露出する第２のリード線１１が電気的に接合されている。なお、金属箔４，５の材料として、Ｗ（タングステン）等が使用可能である。そして、バルブ２の後側封止部４の後端部には金属製の口金１２が固定され、この口金１２には、第１のリード線９が電気的に接続され、この口金１２はリフレクタＲに固定される。
【００１２】
図３に示すように、ガラス製のリフレクタＲの凹面中央には、円柱状のバルブ固定部１３が設けられ、このバルブ固定部１３は口金１２を固定するためにリフレクタＲと一体で形成されている。この口金１２には、外部の点灯電源から延びるケーブル線１９の端子１９ａを固定するための雄ネジ部２０が設けられ、この雄ネジ部２０に端子１９ａを嵌め込み、雌ネジ２１によるネジ止めによって、外部点灯電源と放電電極８との電気的接続を図っている。
【００１３】
また、リフレクタＲの背面Ｒ１には、金属（例えば、真鍮にニッケルメッキした物、ＳＵＳ、鉄にニッケルメッキした物など）の端子取付部（いわゆる端子台）１４が固定され、この端子取付部１４には、前側封止部５から突出した第２のリード線１１がワイヤＷを介して電気的に接続されている。図４に示すように、端子取付部１４のベース部１５は、アーク放電による高熱の影響を考慮し、接着剤による物理的固定によらず、ハトメやネジ等による機械的固定手段１６をもって、リフレクタＲの背面Ｒ１に固定されている。この機械的固定手段１６の中央には第２のリード線１１から延びるワイヤＷを通過させる貫通孔１６ａが形成され、この貫通孔１６ａを通ったワイヤＷは端子取付部１４にハンダ付けされる。また、端子取付部１４には、外部の点灯電源から延びるケーブル線１７の端子１７ａ（図３参照）を固定するための台座１８が設けられ、この台座１８に端子１７ａをネジ止めすることで、外部点灯電源と放電電極１０との電気的接続を図っている。
【００１４】
図３〜図５に示すように、端子取付部１４には、アーク矯正用の磁石２２が固定されるが、この磁石２２は永久磁石で形成され、リフレクタＲの裏面Ｒ１から所定距離だけ離すようにして設置される。磁石２２は、放電電極８と放電電極１０との間に発生するアークに対応するように、水平方向において同一レベルになるように設置される。このような配列関係を採用すると、放電電極８と放電電極１０との間に形成される３次元のアーク像を、両電極８，１０の中心軸線に沿った箇所に適切に矯正することができる。すなわち、リフレクタＲの焦点位置にアークを適切に収めることができ、光の利用効率のアップが図られることになる。
【００１５】
このような位置に磁石２２を設置させるにあたって、端子取付部１４は、リフレクタＲの上部側に取り付けられているので、端子取付部１４には、Ｌ字状に折り曲げられて下方に延びるアーム２３が設けられている。そして、アーム２３の先端に磁石２２を取り付けることで、アークの発生部位に対する磁石２２の設置場所の適正化を図っている。また、アーム２３を、磁性体（例えば、鉄にニッケルメッキしたもの）で形成することにより、放電管１の点灯時に印加される高電圧により、アーム２３に電場が発生することもあり、この現象によって放電管の始動性を良好にする効果も期待できる。なお、アーム２３を、非磁性体で形成する場合もある。
【００１６】
本発明は、前述した実施形態に限定されるものではなく、例えば、放電管１としては、アークを発生させるものであればどの様な種類のランプでもよいことは言うまでもない。また、アーク矯正用の磁石２２は、アーム２３を介在させずに端子取付部１４に直接固定させる場合もある。
【００１７】
【発明の効果】
本発明による光源ユニットは、以上のように構成されているため、次のような効果を得る。すなわち、アークを発生させる一対の放電電極を対峙させた状態で収容する中空状の発光部と、この発光部の両側に設けられた前後一対の前側封止部及び後側封止部とを有する発光管を備え、後側封止部をリフレクタに固定してなる光源ユニットにおいて、後側封止部の後端から突出させた第１のリード線は、リフレクタの背面の中央から突出させた口金に接続され、前側封止部の前端から突出させた第２のリード線は、リフレクタの背面に固定された端子取付部に接続され、端子取付部は、機械的固定手段をもってリフレクタに固定され、この端子取付部にアーク矯正用の磁石が固定され、磁石は、端子取付部から延び出るアームに固定されたことにより、端子取付部を基準としたアーク矯正用の磁石の確実な位置決めが達成される。
【図面の簡単な説明】
【図１】本発明に係る光源ユニットの一実施形態を示す斜視図である。
【図２】図１の光源ユニットに適用させる放電管を示す側面図である。
【図３】図１の光源ユニットの側面図である。
【図４】本発明に係る光源ユニットの要部拡大断面図である。
【図５】図１の光源ユニットの背面図である。
【符号の説明】
１…放電管、３…発光部、４…後側封止部、５…前側封止部、８，１０…放電電極、９…第１のリード線、１１…第２のリード線、１２…口金、１４…端子取付部、１６…機械的固定手段、２２…磁石、２３…アーム、Ｕ…光源ユニット、Ｒ…リフレクタ、Ｒ１…リフレクタの裏面。
【図１】
0004261654.tif 000002
【図２】
0004261654.tif 000003
【図３】
0004261654.tif 000004
【図４】
0004261654.tif 000005
【図５】
0004261654.tif 000006